(57)【要約】【課題】空間に美容液を噴霧することにより体全体の潤いをもたらす美容用噴霧器を提供する。【解決手段】美容用噴霧器１は、器台１０と、器台１０の上部に配置される容器２０と、容器２０を覆い器台１０に対して着脱自在の蓋３０とを備える。器台１０には、器台１０の底部１３から離間するようファン１２が取り付けられている。容器２０には、容器底部２１と容器底部２１を取り囲む壁２２とで画定される空間に美容成分含む美容液である液体を入れることができる。美容成分は、容器２０の取付部２３に取り付けられた超音波振動子５１が発生する超音波の周波数１．５ＭＨｚ〜２．５ＭＨｚにより、体内に取り込みやすい適切な流体粒径になり、ファン１２により発生した空気の流れにより室内に散布され、霧化された美容液を体内に取り込むことができ、身体全体の肌の潤いが得られる。【選択図】図２
2020178927.tif 000002
【特許請求の範囲】
【請求項１】
液体を入れる容器と、
超音波を発生させて前記液体を微粒子化させる超音波振動子とを備え、
前記液体は、美容成分を含む美容液であり、
前記超音波の周波数が、１．５ＭＨｚ〜２．５ＭＨｚの範囲である
ことを特徴とする美容用噴霧器。
【請求項２】
前記超音波の周波数が、１．６ＭＨｚ〜２．４ＭＨｚの範囲である
ことを特徴とする請求項１に記載の美容用噴霧器。
【請求項３】
前記美容成分が、上皮成長因子、線維芽細胞増殖因子およびセラミドからなる群から選ばれる少なくとも１種の化合物を含む
ことを特徴とする請求項１または請求項２に記載の美容用噴霧器。
【請求項４】
前記美容成分として、肝細胞増殖因子、アラニン、アルギニン、イソロイシン、グリシン、グルタミン酸、クレアチン、セリン、チロシン、テアニン、トレオニン、バリン、ヒスチジン、ヒドロキシプロリン、フェニルアラニン、プロリン、リシン、ロイシン（分子量８９〜２０５）、神経成長因子（ＮＧＦ）、コロニ−刺激因子（ＣＳＦ）、インスリン様増殖因子（ＩＧＦ）、アデニン、グアニン、チミン、シトシン、ウラシル、ビタミンＡ、ビタミンＢ、ビタミンＣ、ビタミンＤ、ビタミンＦ、ビタミンＫ、ミノキシジル、ピロリジニルジアミノピリミジンオキシド、セレブロシド、プロテオグリカン、ヒアルロン酸、エラスチン、１．２−ヘキサンジオ−ル、ＢＧ、デオキシリボ核酸ナトリウム、ＤＰＧ、ＰＥＧ−６、ＰＥＧ−８、ＰＥＧ−２０、ＰＥＧ−３０、ＰＥＧ−３２、ＰＥＧ−７５、ＰＥＧ−１５０、ＰＥＧ−４００、ＰＣＡ−Ｎａ、プロピレングリコ−ル（ＰＧ）、アセチルヒアルロン酸Ｎａ、エチルヘキシルグリセリン、加水分解ケラチン、カプリリルグリコ−ル、グリコシルトレハロ−ス、グリセリン、グルタミン酸Ｎａ、ジグリセリン、デキストリン、エリスリト−ル、キシリト−ル、グルコ−ス、スクロ−ス、ソルビト−ル、マルチト−ル、マンニト−ル、トレハロ−ス、乳糖、ベタイン、ペンチレングリコ−ル、ポリクオタニウム−５１、ポリクオタニウム−６１、メチルグルセス−１０、メチルグルセス−２０、４−ｎ−ブチルレゾ−ル、アスコルビルグルコシド、アスコルビン酸、アルブチン、エラグ酸、グルタチオン、トラネキサム酸、マグノリグナン、リン酸アスコルビルＭｇ、アラントイン、イノシト−ル、グアイアズレン、グアイアズレンスルホン酸エチル、グリチルリチン酸２Ｋ、グリチルレチン酸ステアリル、酢酸トコフェロ−ル、ピリドキシン塩酸塩、ジパルミチン酸ピリドキシン、ジカプリル酸ピリドキシン、塩化Ａｌ、クロルヒドロキシアルミニウム、タンニン酸、グリコ−ル酸、サリチル酸、乳酸、パパイン、硫酸Ｎａ、ｔ−フラバノン、アスタキサンチン、アセチルパントテニルエチル、アデノシン三リン酸２Ｎａ、アミノカプロン酸、アモジメチコン、アミノプロピルジメチコン、アミノ酪酸、エストラジオ−ル、エチニルエストラジオ−ル、フェルラ酸エステル、カルニチン、Ｌ−カルノシン、Ｄ−カルノシン、カロテン、プラトニン、カンフル、グア−ヒドロキシプロピルトリモニウムクロリド、サリチル酸エチルヘキシル、サリチル酸メチル、シアノコバラミン、シルク、セチルＰＧヒドロキシエルチルパルミタミド、２−アミノエタンスルフォン酸、トコトリエノ−ル、トコフェリルリン酸Ｎａ、トコフェノ−ル、ナイアシンアミド、ニコチン酸トコフェノ−ルパルミチン酸レチノ−ル、パルミトイルオリゴペプチド、パンテノ−ル、パントテン酸Ｃａ、ビオチン、ビサボロ−ル、ヒノキチオ−ル、フェルラ酸、ポリクオタニウム−７、メチオニン、ユビキノン、葉酸、リノ−ル酸、リノレン酸、リボフラビン、ルチン、レチノ−ル、アズレンからなる群から選ばれる化合物の少なくとも１つをさらに含むことを特徴とする請求項３に記載の美容用噴霧器。
【請求項５】
前記美容用噴霧器は、
器台と、
前記器台の上部に配置され前記液体が投入される容器と、
前記器台の周縁に取り付けられ前記容器を覆う蓋と
を具備することを特徴とする請求項１〜４の何れか１項に記載の美容用噴霧器。
【請求項６】
前記器台には、ファンが配置され、
前記ファンは、前記器台の底部から離間するように取り付けられている
ことを特徴とする請求項５に記載の美容用噴霧器。
【請求項７】
前記容器の底部の下側に設けられた取付部には、前記超音波振動子及び駆動部が取り付けられている
ことを特徴とする請求項５または請求項６に記載の美容用噴霧器。
【請求項８】
前記容器は、容器底部と、
前記容器底部から立ち上がり前記容器底部を取り囲む壁とを備え、
前記壁は、前記容器底部から立ち上がる内壁と、
前記内壁の上部先端から下方に折れ曲がる外壁とを有し、
前記外壁には、前記外壁の一部に、前記内壁と前記外壁とで形成される空間と前記蓋の内部空間とを連通する開口部が設けられている
ことを特徴とする請求項５〜７の何れか１項に記載の美容用噴霧器。
【請求項９】
前記開口部の上部には、前記外壁から外方に突出する突出部が形成されている
ことを特徴とする請求項８に記載の美容用噴霧器。
【請求項１０】
前記蓋には、前記容器に面する側に流通口が設けられ、
前記流通口と反対側の端面には排気口が設けられ、
前記流通口には、前記容器底部に対向して前記蓋の略水平方向に広がる平板が設けられている
ことを特徴とする請求項５〜９の何れか１項に記載の美容用噴霧器。
【発明の詳細な説明】
【技術分野】
【０００１】
本発明は、美容成分を含む美容液を噴霧し、皮膚だけでなく肺等からも美容成分を吸収させることができる美容用噴霧器に関する。
【背景技術】
【０００２】
超音波振動子を用いて容器内の液体を微粒子化（ミスト）し、空気中に散布する装置が知られている（特許文献１および２）。
【０００３】
特許文献１は、ベ−ス、ファン、液体容器、超音波振動装置、電源入力装置、カバ−、スピ−カを備える芳香剤噴霧装置であって、超音波振動装置が液体容器内の液体を振動させて微粒子化し、液体容器内の導気管により、ファンが導入した気体の流速が速くして微粒子化効果および霧の飛散効果が高めると共に、簡単に分解できることが開示されている。
【０００４】
特許文献２は、液体からミストを生成し超音波振動子を備えるミスト生成部と、ミスト生成部で生成されたミストが流動する流路部を含むダクト部と、流路部の内側面に設けられているとともに流路部を流動するミストを流路部の中心軸に向かって噴出する複数個のミスト噴出部とを有する美容装置であって、部位にかかわらず肌表面に効率よくミストを吹き付けることができることが開示されている。
【先行技術文献】
【特許文献】
【０００５】
【特許文献１】実用新案登録第３１５７５４４号公報
【特許文献２】特開２０１６−１３１５６９号公報
【発明の概要】
【発明が解決しようとする課題】
【０００６】
しかしながら、特許文献１の噴霧器は、芳香油および芳香液体等の液体を噴霧して、香りなどを楽しむ芳香剤噴霧装置であり、美容液の噴霧を目的とした装置ではなく、美容液を噴霧することができないという問題点があった。
【０００７】
一方、特許文献２の噴霧器は、水、天然水、水道水、酸性水、化粧水、薬品の溶液等、対象体を刺激したり、傷つけたりしにくい液体を直接皮膚の一部に吹き付ける美容装置であるが、肺等から美容成分を体内に吸収させることはできないという問題点があった。
【０００８】
ここで、皮膚には皮膚バリア機能があり、外界からの異物（アレルゲン・細菌など）の侵入を防御する機能があることが知られている。この機能は、皮膚に塗布された美容液に含まれる美容成分に対しても働く。その結果、美容液に含まれる美容成分の量に対して、体内に浸透する美容成分の量が非常に少なくなってしまうという問題点があった。特に、分子量が大きなもの（例えば、分子量が５００以上の美容成分は皮膚からほとんど吸収されないという問題点があった。
【０００９】
本発明は、上述した事情に鑑み、美容成分を含む美容液を噴霧し、皮膚だけでなく肺等からも美容成分を吸収させることができる美容用噴霧器を提供することを目的とする。
【課題を解決するための手段】
【００１０】
本発明の発明者は、上述した問題点に関して鋭意研究・開発を続けた結果、美容液は皮膚に塗布されるものという概念を打ち破り、肺等からも吸収させることができるという全く新しい概念を作り出し、そのための美容液を噴霧させることができる美容用噴霧器を見出した。また、本発明の発明者は、分子量が５００以上の美容成分であっても、皮膚に塗布した場合と比較して、空間中に噴霧させ、肺等から吸収させた方がより効率的に体内に取り入れることができることを見出した。
【００１１】
上記課題を解決するための本発明の第１の態様は、液体を入れる容器と、超音波を発生させて液体を微粒子化させる超音波振動子とを備え、液体は、美容成分を含む美容液であり、超音波の周波数が、１．５ＭＨｚ〜２．５ＭＨｚの範囲であることを特徴とする美容用噴霧器にある。
【００１２】
ここで、「美容液」とは、容姿・肌などを美しくすることだけでなく、容姿・肌などを保つために用いられる液体をいい、香りを楽しむためだけの液体（アロマオイル等）を含まないものをいう。
【００１３】
かかる第１の態様では、美容成分を含む美容液を噴霧し、皮膚だけでなく肺等からも美容成分を吸収させることができる美容用噴霧器を提供することができる。また、美容成分が体内に取り込むことができる適切な流体粒径となり、美容液を噴霧し、室内に散布させて、肺等から美容成分を体内に吸収させることができる。その結果、従来の皮膚に塗布する場合と比較して、高い美容効果が得られる。また、呼吸等で美容成分を体内に取り入れるので、身体全体において高い美容効果を得ることができる。
【００１４】
本発明の第２の態様は、超音波の周波数が、１．６ＭＨｚ〜２．４ＭＨｚの範囲であることを特徴とする第１の態様に記載の美容用噴霧器にある。
【００１５】
かかる第２の態様では、美容成分を含む美容液を噴霧し、皮膚だけでなく肺等からも美容成分を容易に吸収させることができる美容用噴霧器を提供することができる。その結果、従来の皮膚に塗布する場合と比較して、より高い美容効果が得られる。また、呼吸等で美容成分を体内に取り入れるので、身体全体において、より高い美容効果を得ることができる。
【００１６】
本発明の第３の態様は、美容成分が、上皮成長因子、線維芽細胞増殖因子およびセラミドからなる群から選ばれる少なくとも１種の化合物を含むことを特徴とする第１または第２の態様に記載の美容用噴霧器にある。
【００１７】
ここで、「上皮成長因子」（ＥＧＦ）は、ヒトの上皮成長因子と同様の効果があれば特に限定されず、例えば豚や馬の胎盤（プラセンタ）に含まれている上皮成長因子であってもよいが、ヒトの上皮成長因子が好ましい。
【００１８】
「線維芽細胞増殖因子」（ＦＧＦ）は、ヒトの線維芽細胞増殖因子と同様の効果があれば特に限定されず、例えば豚や馬の胎盤（プラセンタ）に含まれている線維芽細胞増殖因子であってもよいが、ヒトの線維芽細胞増殖因子（ＦＧＦ１、ＦＧＦ２、ＦＧＦ３、ＦＧＦ４、ＦＧＦ５、ＦＧＦ６、ＦＧＦ７、ＦＧＦ８、ＦＧＦ９、ＦＧＦ１０、ＦＧＦ１１、ＦＧＦ１２、ＦＧＦ１３、ＦＧＦ１４、ＦＧＦ１６、ＦＧＦ１７、ＦＧＦ１８）が好ましい。
【００１９】
「セラミド」は、ヒトの皮膚に含まれるものと同様の保湿等の効果を奏するものであれば特に限定されないが、ヒトの皮膚に含まれる次の１１個の化合物が高い美容効果を奏するので好ましく、下記のセラミド２およびセラミド３はより高い美容効果を奏するので特に好ましい。
【００２０】
【化１】
2020178927.tif 000003
【００２１】
【化２】
2020178927.tif 000004
【００２２】
【化３】
2020178927.tif 000005
【００２３】
【化４】
2020178927.tif 000006
【００２４】
【化５】
2020178927.tif 000007
【００２５】
【化６】
2020178927.tif 000008
【００２６】
【化７】
2020178927.tif 000009
【００２７】
【化８】
2020178927.tif 000010
【００２８】
【化９】
2020178927.tif 000011
【００２９】
【化１０】
2020178927.tif 000012
【００３０】
【化１１】
2020178927.tif 000013
【００３１】
かかる第３の態様では、高い美容効果を奏する美容液を噴霧することができる美容用噴霧器を提供することができる。
【００３２】
本発明の第４の態様は、美容成分として、肝細胞増殖因子、アラニン、アルギニン、イソロイシン、グリシン、グルタミン酸、クレアチン、セリン、チロシン、テアニン、トレオニン、バリン、ヒスチジン、ヒドロキシプロリン、フェニルアラニン、プロリン、リシン、ロイシン（分子量８９〜２０５）、神経成長因子（ＮＧＦ）、コロニ−刺激因子（ＣＳＦ）、インスリン様増殖因子（ＩＧＦ）、アデニン、グアニン、チミン、シトシン、ウラシル、ビタミンＡ、ビタミンＢ、ビタミンＣ、ビタミンＤ、ビタミンＦ、ビタミンＫ、ミノキシジル、ピロリジニルジアミノピリミジンオキシド、セレブロシド、プロテオグリカン、ヒアルロン酸、エラスチン、１．２−ヘキサンジオ−ル、ＢＧ、デオキシリボ核酸ナトリウム、ＤＰＧ、ＰＥＧ−６、ＰＥＧ−８、ＰＥＧ−２０、ＰＥＧ−３０、ＰＥＧ−３２、ＰＥＧ−７５、ＰＥＧ−１５０、ＰＥＧ−４００、ＰＣＡ−Ｎａ、プロピレングリコ−ル（ＰＧ）、アセチルヒアルロン酸Ｎａ、エチルヘキシルグリセリン、加水分解ケラチン、カプリリルグリコ−ル、グリコシルトレハロ−ス、グリセリン、グルタミン酸Ｎａ、ジグリセリン、デキストリン、エリスリト−ル、キシリト−ル、グルコ−ス、スクロ−ス、ソルビト−ル、マルチト−ル、マンニト−ル、トレハロ−ス、乳糖、ベタイン、ペンチレングリコ−ル、ポリクオタニウム−５１、ポリクオタニウム−６１、メチルグルセス−１０、メチルグルセス−２０、４−ｎ−ブチルレゾ−ル、アスコルビルグルコシド、アスコルビン酸、アルブチン、エラグ酸、グルタチオン、トラネキサム酸、マグノリグナン、リン酸アスコルビルＭｇ、アラントイン、イノシト−ル、グアイアズレン、グアイアズレンスルホン酸エチル、グリチルリチン酸２Ｋ、グリチルレチン酸ステアリル、酢酸トコフェロ−ル、ピリドキシン塩酸塩、ジパルミチン酸ピリドキシン、ジカプリル酸ピリドキシン、塩化Ａｌ、クロルヒドロキシアルミニウム、タンニン酸、グリコ−ル酸、サリチル酸、乳酸、パパイン、硫酸Ｎａ、ｔ−フラバノン、アスタキサンチン、アセチルパントテニルエチル、アデノシン三リン酸２Ｎａ、アミノカプロン酸、アモジメチコン、アミノプロピルジメチコン、アミノ酪酸、エストラジオ−ル、エチニルエストラジオ−ル、フェルラ酸エステル、カルニチン、Ｌ−カルノシン、Ｄ−カルノシン、カロテン、プラトニン、カンフル、グア−ヒドロキシプロピルトリモニウムクロリド、サリチル酸エチルヘキシル、サリチル酸メチル、シアノコバラミン、シルク、セチルＰＧヒドロキシエルチルパルミタミド、２−アミノエタンスルフォン酸、トコトリエノ−ル、トコフェリルリン酸Ｎａ、トコフェノ−ル、ナイアシンアミド、ニコチン酸トコフェノ−ルパルミチン酸レチノ−ル、パルミトイルオリゴペプチド、パンテノ−ル、パントテン酸Ｃａ、ビオチン、ビサボロ−ル、ヒノキチオ−ル、フェルラ酸、ポリクオタニウム−７、メチオニン、ユビキノン、葉酸、リノ−ル酸、リノレン酸、リボフラビン、ルチン、レチノ−ル、アズレンからなる群から選ばれる化合物の少なくとも１つをさらに含むことを特徴とする第３の態様に記載の美容用噴霧器にある。
【００３３】
ここで、「肝細胞増殖因子」（ＨＧＦ）は、ヒトの肝細胞増殖因子と同様の効果があれば特に限定されず、例えば豚や馬の胎盤（プラセンタ）に含まれている肝細胞増殖因子であってもよいが、ヒトの肝細胞増殖因子が好ましい。
【００３４】
かかる第４の態様では、より高い美容効果を奏する美容液を噴霧することができる美容用噴霧器を提供することができる。
【００３５】
本発明の第５の態様は、美容用噴霧器は、器台と、器台の上部に配置され液体が投入される容器と、器台の周縁に取り付けられ容器を覆う蓋とを具備することを特徴とする第１〜３の態様の何れか１つに記載の美容用噴霧器にある。
【００３６】
かかる第５の態様では、高い美容効果を奏する美容液を噴霧することができる美容用噴霧器を提供することができる。
【００３７】
本発明の第６の態様は、器台には、ファンが配置され、ファンは、器台の底部から離間するように取り付けられていることを特徴とする第５の態様に記載の美容用噴霧器にある。
【００３８】
かかる第６の態様では、器台内に水等が入ってきてもファンとの接触を防止することができるので、美容用噴霧器を容易に洗浄することができる。
【００３９】
本発明の第７の態様は、容器の底部の下側に設けられた取付部には、超音波振動子及び駆動部が取り付けられていることを特徴とする第５または第６の態様に記載の美容用噴霧器にある。
【００４０】
かかる第７の態様では、ファンで生じる空域の流れがスム−ズとなり、また、容器の底部に水、液体等が付着しても、ファンに悪影響を及ぼすことを未然に防ぐことができる美容用噴霧器を提供することができる。
【００４１】
本発明の第８の態様は、容器は、容器底部と、容器底部から立ち上がり容器底部を取り囲む壁とを備え、壁は、容器底部から立ち上がる内壁と、内壁の上部先端から下方に折れ曲がる外壁とを有し、外壁には、外壁の一部に、内壁と外壁とで形成される空間と蓋の内部空間とを連通する開口部が設けられていることを特徴とする第５〜第７の態様の何れか１つに記載の美容用噴霧器にある。
【００４２】
かかる第８の態様では、ファンの駆動で発生した空気が、開口部を通過して容器及び蓋内に加速されて流れ込み、微粒子化された美容液の乱流を作ることができ、効率よく微粒子化された美容液を外空間に噴霧することができる。
【００４３】
本発明の第９の態様は、開口部の上部には、外壁から外方に突出する突出部が形成されていることを特徴とする第８の態様に記載の美容用噴霧器にある。
【００４４】
かかる第９の態様では、容器を洗浄する際、開口部内に水等が容易に侵入することを防止できる。
【００４５】
本発明の第１０の態様は、蓋には、容器に面する側に流通口が設けられ、流通口と反対側の端面には排気口が設けられ、流通口には、容器底部に対向して蓋の略水平方向に広がる平板が設けられていることを特徴とする第５〜第９の態様の何れか１つに記載の美容用噴霧器にある。
【００４６】
かかる第１０の態様では、超音波振動により飛散する、微粒子化されていない美容液（粒子径が１０μｍよりも大きな液滴の美容液）が、排気口を通って外空間に吐出することを防止することができる。
【００４７】
なお、上述した上皮成長因子、線維芽細胞増殖因子、肝細胞増殖因子、肝細胞増殖因子およびセラミドは、ヒトを含む動物の胎盤から抽出されたものでもよいし、人工的に合成されたものでもよい。
【図面の簡単な説明】
【００４８】
【図１】実施形態１に係る美容用噴霧器の一例を示す概略斜視図である。
【図２】図１の美容用噴霧器の概略断面図である。
【図３】実施形態１に係る美容用噴霧器を用いて微粒子化した液体と超音波の周波数との関係を評価した表である。
【発明を実施するための形態】
【００４９】
以下に添付図面を参照して、本発明に係る美容用噴霧器の実施形態を説明する。なお、本発明は、以下の実施形態に限定されるものではない。
【００５０】
図１および図２に示すように、本実施形態に係る美容用噴霧器１は、上部に向かって外径が小さくなる円筒形状を呈しており、器台１０と、器台１０の上部に配置される容器２０と、容器２０を覆い器台１０に対して着脱自在の蓋３０とを備える。
【００５１】
器台１０には、器台１０を机や棚等に容易に設置するための複数の脚１１が器台１０の裏面に設けられ、器台１０の内部には、制御部とファン１２が設けられている。器台１０の上部は開口され、上部に容器２０を設置可能としている。ファン１２は、器台１０の底部１３から立ち上がる取り付け用の立ち上げ部１４にネジ等で固定され、ファン１２は、底部１３から離間するよう配置されている。
【００５２】
容器２０は、容器底部２１と、容器底部２１を取り囲む壁２２と、容器底部２１と反対側（下側）に位置する取付部２３とを備え、容器底部２１と壁２２とで画定される空間内に美容液を入れることができるようになっている。
【００５３】
壁２２は、容器底部２１から立ち上がる内壁２４と、内壁２４の上部先端から下方に折れ曲がる外壁２５とで構成されている。また、壁２２には、外壁２５の一部に、内壁２４と外壁２５とで形成される空間と、蓋３０の内部空間とを連通する開口部４０が設けられている。そして、容器２０の取付部２３には、超音波振動子５０と駆動部５１が取り付けられており、超音波振動子５０及び駆動部５１に、水、液体等が付着することを防止することができるようになっている。
【００５４】
蓋３０は、蓋３０の内壁と外壁２５とが離間するように器台１０の周縁に取り付けられている。蓋３０の容器底部２１に面する側（容器底部２１の上方）には流通口３１が設けられ、蓋３０の流通口３１と反対側の端面には、排気口３２が設けられている。
【００５５】
排気口３２は、蓋３０の頂部に位置し、美容用噴霧器１の内空間と外空間とを連通している。ここで、外空間とは、美容用噴霧器１が設置される室内空間を示す。なお、排気口３２の開口径は、流通口３１の開口径より小さく形成されている。そして、流通口３１には、蓋３０の水平方向に広がる平板３３が、超音波振動子５０に対向するように設けられており、超音波振動子５０の振動によって飛散する、微粒子化されていない美容液（粒子径が１０μｍよりも大きな液滴の美容液）が排気口３２を通って外空間に吐出するのを防止することができるようになっている。
【００５６】
容器２０の開口部４０は、外壁２５の周方向に沿って細長に開口され、外壁２５に少なくとも一つ形成されており、後述するファン１２によって送り出された空気を、容器２０と蓋０によって区画される空間に送出することができるようになっている。その結果、ファン１２の駆動で発生した空気が、開口部４０を通過して容器２０及び蓋３０内に加速されて流れ込み、微粒子化された美容液の乱流を作ることができ、効率よく微粒子化された美容液を外空間に噴霧することができる。
【００５７】
なお、開口部４０の上部には、外壁２５から外方に突出する突出部４１が形成されており、美容用噴霧器１を洗浄する際や美容液が容器２０から流れ出した際に、それらが開口部４０を通って器台１０内部に流れ込むのを防止することができるようになっている。
【００５８】
ここで、容器２０の取付部２３に取り付けられる超音波振動子５０は、容器２０内の美容液を微粒子化できるものであれば特に限定されない。超音波振動子５０としては、例えば、電圧を印加することで変形する圧電素子（例えば、圧電セラミック）が挙げられる。そして、駆動部５１により高周波の交流電圧が印加されると、超音波振動子５０から超音波が発生し、容器２０内の美容液は、平均粒子径が１μｍ〜１０μｍの範囲にある微粒子に微粒子化されることになる。
【００５９】
また、駆動部５１が駆動すると同時にファン１２が駆動し、ファン１２により発生した空気の流れが、器台１０から壁２１の開口部４０を通過して容器２０内に流れ込む。すると、容器２０内に微粒子化された美容液が、蓋３０の流通口３１を通って、排気口３２から室内に噴霧状に飛散する。微粒子化された美容液は、呼吸を通じて肺や気道等から人体内に吸引される。なお、美容用噴霧器１内の空気の流れは、図２の矢印で示している。
【００６０】
容器底部２１と壁２２とで画定される空間内に、ユ−ザ−により美容液が投入される。ここで、美容液は、美容成分が含まれているものであれば特に限定されない。美容液としては、例えば、水に、美容成分であるＥＦＧ、ＦＧＦ及びセラミドからなる群から選ばれる少なくとも１種の化合物が溶け込んでいるものが挙げられる。
＜実施例＞
【００６１】
次の美容成分（ｗｔ％）が含まれる美容液（実施例）を作成した。これに含まれるセラミド等はヒトから抽出されたものと同じ成分となっている。なお、これ以外に美容液中に含まれる成分は水である。
【００６２】
【表１】
2020178927.tif 000014
【００６３】
この美容液を本実施形態に係る美容用噴霧器１を用いて微粒子化した美容液と超音波の周波数との関係を図３に示す。ここで、評価の「○」は美容液を十分に微粒子化できたことを示し、「△」は美容液を微粒子化できたことを示し、「×」は美容液を十分に微粒子化できなかったことを示す。なお、実験に使用した周波数（単位ＭＨｚ）は、１．０、１．４、１．６、２．１、２．４、２．８、５．０、１０．０である。
【００６４】
この図に示すように、周波数１．０ＭＨｚでは、周波数が低いため美容液が十分に微粒子化しないため美容効果が得られなかった。特に、ＥＧＦやＦＧＦはセラミドに比較して分子量が大きく、微粒子化しにくいと考えられる。例えば、セラミド２（Ｃ２０  Ｃｅｒａｍｉｄｅ）の分子量は５９４であるが、ＥＧＦ（Ｅｐｉｄｅｒｍａｌ  Ｇｒｏｗｔｈ  Ｆａｃｔｏｒ）は６０４５、ＦＧＦ２（Ｆｉｂｒｏｂｌａｓｔ  Ｇｒｏｗｔｈ  Ｆａｃｔｏｒ）は１７２００である。
【００６５】
また、周波数１．４ＭＨｚでは、美容液の一部が微粒子化したに過ぎなかった。その結果、十分な美容効果を得ることができなかった。周波数１．６ＭＨｚ〜２．４ＭＨｚの範囲であると、美容液が十分に微粒子化して適切な平均粒子径（３μｍ〜５μｍ）となり、室内に散布された美容成分を呼吸によって取り入れることができ、十分な美容効果が得られた。さらに、周波数２．８ＭＨｚでは、美容液は微粒子化されるが、周波数が高いため、一部の美容成分が分解されてしまったものと考えられる。その結果、十分な美容効果は得られなかった。そして、周波数５．０ＭＨｚ以上では、多くの美容成分が分解され、十分な美容効果が得られなかった。
【００６６】
なお、微粒子の平均粒子径は、レ−ザ−回析式粒度分布測定装置等（例えば、マスタ−サイザ−３０００（登録商標、Ｍａｌｖｅｒｎ  Ｐａｎａｌｙｔｉｃａｌ社製））により測定することができる。
【００６７】
次に、次に示す比較例を作製し、本実施形態に係る美容用噴霧器（周波数２.４ＭＨｚ）を用いて美容液を噴霧した際に、得られる美容効果について実施例と比較した。
＜比較例１＞
【００６８】
次の美容成分が含まれる美容液（比較例）を作成した。これに含まれる美容成分は、実施例と同様に、ヒトから抽出されたものと同じ成分となっている。なお、これ以外に美容液に含まれている成分は、実施例と同様に水である。
【００６９】
【表２】
2020178927.tif 000015
【００７０】
この美容液（比較例１）と実施例を、試験者（１０名）がいる空間容積３５ｍ３の空間中に１日８時間、噴霧量（４０ｇ／ｈ）で噴霧した。この作業を３日間連続して繰り返した。
【００７１】
その後、第三者がその試験者の肌に触れ、試験者の肌の状態を検査した。
＜比較例２＞
【００７２】
実施例の美容液を、３日間連続して試験者（１０名）の肌に塗布した。その後、第三者がその試験者の肌に触れ、試験者の肌の状態を検査した。
これらの結果を次に示す。
【００７３】
【表３】
2020178927.tif 000016
【００７４】
ここで、「〇」は肌の保湿感、肌密度等の肌の状態の改善が見られたことを示し、「×」は保湿感、肌密度に改善が見られなかったことを示す。ここで、「肌の保湿感」とは肌の水分量を保つ機能いう。また、「肌密度」とは素肌のキメ細やかさと細胞の厚みの度合いを意味し、「肌密度」の高い肌とは、ふっくらと厚みのある細胞が１つ１つ密に整然と並び、キメが整った弾力のある肌をいう。なお、比較例１を噴霧した際には、残渣物がタンク内に残留していた。
【００７５】
このように、実施例を空間中に噴霧することによって、直接皮膚に塗布した場合（比較例２）と比較しても、高い美容効果が得られることが分かった。
【００７６】
以上の結果から、本実施形態に係る美容用噴霧器１においては、周波数が１．５ＭＨｚ〜２．５ＭＨｚの範囲において、美容液が微粒子化（平均粒子径１μｍ〜１０μｍ）され、特に周波数が１．６ＭＨｚ〜２．４ＭＨｚの範囲において、美容液がより適切に微粒子化（平均粒子径３μｍ〜５μｍ）されることが分かった。その結果、これらの微粒子を、皮膚だけでなく、肺等からも体内に吸収することができるので、高い美容効果が得られることが分かった。
（実施形態２）
【００７７】
実施形態１では、美容用噴霧器は、表１に記載された美容成分を含む美容液を噴霧するようにしたが、本発明はこれに限定されない。美容液としては、上皮成長因子、線維芽細胞増殖因子およびセラミドからなる群から選ばれる少なくとも１種の化合物を含むものであれば、含まれる美容成分に応じて、高い美容効果が得らえるが、それ以外の美容成分が含まれていてもよい。
【００７８】
上皮成長因子、線維芽細胞増殖因子およびセラミド以外の美容成分としては、例えば、肝細胞増殖因子、アラニン、アルギニン、イソロイシン、グリシン、グルタミン酸、クレアチン、セリン、チロシン、テアニン、トレオニン、バリン、ヒスチジン、ヒドロキシプロリン、フェニルアラニン、プロリン、リシン、ロイシン（分子量８９〜２０５）、神経成長因子（ＮＧＦ）、コロニ−刺激因子（ＣＳＦ）、インスリン様増殖因子（ＩＧＦ）、アデニン、グアニン、チミン、シトシン、ウラシル、ビタミンＡ、ビタミンＢ、ビタミンＣ、ビタミンＤ、ビタミンＦ、ビタミンＫ、ミノキシジル、ピロリジニルジアミノピリミジンオキシド、セレブロシド、プロテオグリカン、ヒアルロン酸、エラスチン、１．２−ヘキサンジオ−ル、ＢＧ、デオキシリボ核酸ナトリウム、ＤＰＧ、ＰＥＧ−６、ＰＥＧ−８、ＰＥＧ−２０、ＰＥＧ−３０、ＰＥＧ−３２、ＰＥＧ−７５、ＰＥＧ−１５０、ＰＥＧ−４００、ＰＣＡ−Ｎａ、プロピレングリコ−ル（ＰＧ）、アセチルヒアルロン酸Ｎａ、エチルヘキシルグリセリン、加水分解ケラチン、カプリリルグリコ−ル、グリコシルトレハロ−ス、グリセリン、グルタミン酸Ｎａ、ジグリセリン、デキストリン、エリスリト−ル、キシリト−ル、グルコ−ス、スクロ−ス、ソルビト−ル、マルチト−ル、マンニト−ル、トレハロ−ス、乳糖、ベタイン、ペンチレングリコ−ル、ポリクオタニウム−５１、ポリクオタニウム−６１、メチルグルセス−１０、メチルグルセス−２０、４−ｎ−ブチルレゾ−ル、アスコルビルグルコシド、アスコルビン酸、アルブチン、エラグ酸、グルタチオン、トラネキサム酸、マグノリグナン、リン酸アスコルビルＭｇ、アラントイン、イノシト−ル、グアイアズレン、グアイアズレンスルホン酸エチル、グリチルリチン酸２Ｋ、グリチルレチン酸ステアリル、酢酸トコフェロ−ル、ピリドキシン塩酸塩、ジパルミチン酸ピリドキシン、ジカプリル酸ピリドキシン、塩化Ａｌ、クロルヒドロキシアルミニウム、タンニン酸、グリコ−ル酸、サリチル酸、乳酸、パパイン、硫酸Ｎａ、ｔ−フラバノン、アスタキサンチン、アセチルパントテニルエチル、アデノシン三リン酸２Ｎａ、アミノカプロン酸、アモジメチコン、アミノプロピルジメチコン、アミノ酪酸、エストラジオ−ル、エチニルエストラジオ−ル、フェルラ酸エステル、カルニチン、Ｌ−カルノシン、Ｄ−カルノシン、カロテン、プラトニン、カンフル、グア−ヒドロキシプロピルトリモニウムクロリド、サリチル酸エチルヘキシル、サリチル酸メチル、シアノコバラミン、シルク、セチルＰＧヒドロキシエルチルパルミタミド、２−アミノエタンスルフォン酸、トコトリエノ−ル、トコフェリルリン酸Ｎａ、トコフェノ−ル、ナイアシンアミド、ニコチン酸トコフェノ−ルパルミチン酸レチノ−ル、パルミトイルオリゴペプチド、パンテノ−ル、パントテン酸Ｃａ、ビオチン、ビサボロ−ル、ヒノキチオ−ル、フェルラ酸、ポリクオタニウム−７、メチオニン、ユビキノン、葉酸、リノ−ル酸、リノレン酸、リボフラビン、ルチン、レチノ−ル、アズレン等が挙げられる。
【００７９】
ただし、これらの成分のうち、コラ−ゲン、プロテオグリカンおよびヒアルロン酸が含まれない美容液が好ましい。これらの化合物は、上皮成長因子、線維芽細胞増殖因子およびセラミドが十分に噴霧できる噴霧条件でも噴霧されにくい。その結果、美容液中に残留物として残留し、その他の美容成分の噴霧に悪影響を及ぼす可能性がある。
（他の実施形態）
【００８０】
実施形態１では、美容液として表１に示される美容成分を含むものを用いたが、本発明に用いることができる美容液はこれに限定されない。
【００８１】
美容液としては、上皮成長因子、線維芽細胞増殖因子およびセラミドからなる群から選ばれる少なくとも１種の化合物を含むものであればよい。本発明に係る美容用噴霧器を用いて、このような美容液を噴霧しても、上述したような十分な美容効果が得られる。
【００８２】
また、美容成分としては、セラミドと、上皮成長因子または線維芽細胞増殖因子の何れか一方を含むものが好ましい。本発明に係る美容用噴霧器を用いて、このような美容液を噴霧すると、より高い美容効果が得られる。
【００８３】
さらに、美容成分として、セラミド、上皮成長因子および線維芽細胞増殖因子を含むものがより好ましい。本発明に係る美容用噴霧器を用いて、このような美容液を噴霧すると、さらに高い美容効果が得られる。
【００８４】
そして、セラミド、上皮成長因子および線維芽細胞増殖因子が、プラセンタから抽出されたものであるものが特に好ましい。本発明に係る美容用噴霧器を用いて、このような美容液を噴霧すると、特に高い美容効果が得られる。ここで、プラセンタとは、動物の胎盤をいう。プラセンタとしては、動物の胎盤であれば特に限定されないが、例えば馬、豚およびヒトの胎盤が高い美容効果を奏するので好ましく、ヒトの胎盤が特に高い美容効果を奏するのでより好ましい。
【００８５】
また、美容液中に含まれる美容成分の濃度は特に限定されないが、６．０×１０−８ｗｔ％〜６．０ｗｔ％の範囲のものを噴霧させると、微粒子化できると共に十分な美容効果を有するので好ましく、１．０×１０−８ｗｔ％〜３.０ｗｔ％の範囲のものを噴霧させると、より高い美容効果を有するのでより好ましく、２．０×１０−８ｗｔ％〜１．０ｗｔ％の範囲のものを噴霧させると、さらに高い美容効果を有するので特に好ましい。
【００８６】
なお、本発明は、上述した実施形態に限定されるものではなく、適宜、変形、改良、等が可能である。その他、上述した実施形態における各構成要素の材質、形状、寸法、数値、形態、数、配置箇所、等は本発明を達成できるものであれば任意であり、限定されない。
【符号の説明】
【００８７】
１  美容用噴霧器
１０  器台
１１  脚
１２  ファン
１３  底部
１４  立ち上げ部
２０  容器
２１  容器底部
２２  壁
２３  取付部
２４  内壁
２５  外壁
３０  蓋
３１  流通口
３２  排気口
３３  平板
４０  開口部
４１  突出部
５０  超音波振動子
５１  駆動部
【図１】
2020178927.tif 000017
【図２】
2020178927.tif 000018
【図３】
2020178927.tif 000019